(57)【特許請求の範囲】
【請求項１】
低圧地中配電線路の分岐及び引込線の接続をハンドホールを介して地上部において行う分岐・引込方式において、ハンドホールの開口周縁部に枠部材を固定し、地中配電線路から立ち上げた低圧幹線に分岐線及び密閉形電線ヒューズを介して引込線を接続するとともに、低圧幹線と引込線を前記枠部材に固定して分岐線及び密閉形電線ヒューズを支持し、底面を開口した収納ボックスを被せて枠部材に固定するようにした低圧地中配電線路の分岐・引込方式。
【請求項２】
枠部材に分岐線及び密閉形電線ヒューズの支持部材を設けてなる請求項１記載の低圧地中配電線路の分岐・引込方式。
【請求項３】
枠部材に分岐線及び密閉形電線ヒューズを相別に分離して支持可能な支持部材を設けてなる請求項１記載の低圧地中配電線路の分岐・引込方式。
【請求項４】
分岐線が、低圧幹線端部に接続した少なくとも２本の分岐線からなる一次分岐線と、この一次分岐線に圧縮スリーブの一端部において接続され、この圧縮スリーブの他端部において複数本の引込用分岐線を束ねて圧縮接続した複合分岐線とからなる請求項１、２又は３記載の低圧地中配電線路の分岐・引込方式。
【請求項５】
低圧地中配電線路の分岐及び引込線の接続をハンドホールを介して地上部において行う分岐・引込方式において、ハンドホールの開口周縁部に予め支持部材を立設した枠部材を固定し、地中配電線路から立ち上げた低圧幹線を取付金具を介して枠部材に固定するとともに、低圧幹線端部に圧縮銅管端子を銅管部において圧縮接続し、少なくとも２本の分岐線を圧縮銅管端子の銅管部において圧縮接続して束ねた一次分岐線を用意し、前記低圧幹線と一次分岐線を互いの圧縮銅管端子の端子部を重ねてネジ止め接続し、この一次分岐線に圧縮スリーブを介して複数本の引込用分岐線を束ねた複合分岐線を圧縮接続するとともに前記支持部材において相別に分離して支持し、この引込用分岐線に圧縮スリーブを介して密閉形電線ヒューズ及び引込線を接続し、引込線を枠部材に予め設けた支持バーに結束帯で固定するとともに、前面に開閉扉を有し、底面を開口した収納ボックスを被せて枠部材に固定するようにした低圧地中配電線路の分岐・引込方式。
【発明の詳細な説明】
【０００１】
【発明の属する技術分野】
この発明は、低圧地中配電線路の分岐及び引込線の接続をハンドホールを介して地上部において行う低圧地中配電線路の分岐・引込方式の改良に関するものである。
【０００２】
【従来の技術】
近年においては都市計画の一貫として配電線の地中化が進んでおり、このような低圧地中配電線を各需要家に対して分岐引込みする場合、ハンドホール部分において地上部に設置した低圧分岐装置を用いて低圧幹線の分岐及び引込線の接続が行われている。
【０００３】
この低圧分岐装置は、開閉扉を有するボックス本体内において複数本の銅ブスバー及び分岐端子によって構成される分岐接続部材ならびに保護装置としてのブレーカあるいはヒューズが組み込まれており、ハンドホールのコンクリート基礎にベース部材においてボルト固定した後、地中配電線路から立ち上げた低圧幹線及び引込線との接続を行っていた。
【０００４】
【発明が解決しようとする課題】
上述のような低圧分岐装置を用いた分岐・引込方式においては、ボックス本体内にすべての配線資材が組み込まれているため、配線作業のスペースが限られており、低圧幹線及び引込線を接続する場合の作業性が悪いという難点があった。また、ボックス本体が経年劣化した場合、あるいは外部的衝撃によって破損した場合には、ボックス本体のみの取り換えが困難で、装置全体の取り換えを必要とするなど経済性の点でも問題があった。
【０００５】
また、複数本の銅ブスバー及び分岐端子によって分岐接続部を構成しているため装置が大型化し、重くなる難点があり、分岐数も自ずから限定される難点もあった。さらにまた、銅ブスバーと分岐端子を用いた接続の場合、充電部が露出しているため、ハンドホール内部と保護装置内部とを密封遮断することが望まれ、低圧幹線の立上がり部にはパテ剤等によるシールを施した上、保護装置の床面全体にシール剤を敷設する必要もあった。
【０００６】
そこでこの発明の目的とするところは、収納ボックスと配線資材を分離し、配線作業の容易性を図るとともに、ボックスの劣化・損傷時、ボックスのみの取り換えを可能とし、また、装置の小型化・軽量化並びにコストダウンを図り得る低圧地中配電線路の分岐・引込方式を提供するところにある。
【０００７】
【課題を解決するための手段】
上記目的を達成するため、この発明においては、ハンドホール上部に自由な作業スペースがとれる状態において、低圧幹線の分岐及び引込線の接続を行い、しかる後、収納ボックスを被せて固定するようにしたもので、配線資材としては銅ブスバーを用いず、すべて絶縁電線を用い、また、保護装置としては密閉形電線ヒューズを使用することによって、装置の小型化・軽量化並びにコストダウンを図り得る分岐・引込方式を提供したものである。
【０００８】
すなわち、この発明は、低圧地中配電線路の分岐及び引込線の接続をハンドホールを介して地上部において行う分岐・引込方式において、ハンドホールの開口周縁部に枠部材を固定し、地中配電線路から立ち上げた低圧幹線に分岐線及び密閉形電線ヒューズを介して引込線を接続するとともに、低圧幹線と引込線を前記枠部材に固定して分岐線及び密閉形電線ヒューズを支持し、底面を開口した収納ボックスを被せて枠部材に固定するようにした低圧地中配電線路の分岐・引込方式を特徴としている。
【０００９】
このような方式とすると、地中配電線路から立ち上げた低圧幹線の分岐及び引込線との接続はハンドホールの上部が開放された状態において行うことができるため作業性に富んでいる。また、収納ボックスは配線終了後に上方から被せて枠部材に固定するものであるから、劣化・損傷時には収納ボックスのみを取り替えることができる。
【００１０】
また、低圧幹線に分岐線及び密閉形電線ヒューズを介して引込線を接続する分岐・引込み方式であるから、銅ブスバー、ブレーカーなどを用いる場合に比し、小型・軽量化が可能であり、同一スペース内において分岐数・引込み数を増やすことができ、コストダウンも図り得る外、需要の変動にも容易に対応し得る。
【００１１】
なお、低圧幹線と引込線を枠部材に固定して中間部の分岐線及び密閉形電線ヒューズには張力が掛からない状態で支持しているため、それぞれの接続部に外力が加わって外れたりする恐れはない。
【００１２】
なおまた、中間部の分岐線及び密閉形電線ヒューズの垂れ下がりを防止するためには、枠部材に予め分岐線及び密閉形電線ヒューズの支持部材を設けておけばよい。例えば、枠部材に立設した支柱あるいはフレーム部材からアームを突設して分岐線を吊下げ可能とした支持部材、あるいは枠部材に立設した支柱あるいはフレーム部材に少なくとも２本のアームを間隔を開けて突設し、分岐線と密閉形電線ヒューズをこのアーム上に載置可能とした支持部材などが採用できる。また上下あるいは左右方向に複数本のアームを間隔を開けて突設し、分岐線と密閉形電線ヒューズを相別に分離して吊下げ可能とした支持部材、上下及び左右方向に間隔を開けて複数本のアームを間隔を開けて突設し、分岐線と密閉形電線ヒューズを相別に分離して載置可能とした支持部材等、各種の支持部材を採用することができる。分岐線と密閉形電線ヒューズを相別に分離する場合、単相２線式、単相３線式、三相３線式、三相４線式の配電方式に応じた数のアームを突設すれば良く、例えば、専用相Ｄ１、共用相Ｄ２、Ｄ３、中性相Ｄ４からなる三相４線式の配電方式の場合、少なくとも４本のアームで各相を分離して吊下げるか、２本一組のアームを少なくとも四組設けて、各相を分離してアーム上に載置すればよい。このように各相を分離して吊り下げあるいは載置すれば保守点検が容易となる。
【００１３】
また、このような支持部材を用いた場合、収納ボックス内における配線状態を整理することができるため、引込線を増設するため分岐線を手前に引き出す場合にも配線のもつれがなく、容易に引き出し得る利点を有している。
【００１４】
分岐線としては圧縮スリーブで複数本の引込用分岐線を束ねて圧縮接続した複合分岐線を用いるが、地中配電線路から立ち上げた低圧幹線端部との接続方式としては、次のような種々の方式を採用することができる。すなわち、（１）複数本の引込用分岐線を圧縮スリーブの一端部で束ねた複合分岐線を用意し、圧縮スリーブの他端部で直接低圧幹線端部に圧縮接続する方式、（２）上記圧縮スリーブの他端部に線径を調節するために接続線の一端部を圧縮接続し、その他端部を低圧幹線端部と圧縮スリーブで圧縮接続する方式、（３）上記接続線として少なくとも２本の分岐線を有する一次分岐線を用いる方式で、圧縮スリーブの一端部に少なくとも２本の分岐線を圧縮接続した一次分岐線を用意し、その圧縮スリーブの他端部を低圧幹線に圧縮接続するとともに分岐線端部に上記複合分岐線の圧縮スリーブの他端部を圧縮接続する方式、（４）一次分岐線を用いる方式で、圧縮銅管端子の銅管部において少なくとも２本の分岐線を圧縮接続して束ねた一次分岐線を用意し、低圧幹線端部にも銅管部において圧縮銅管端子を圧縮接続し、低圧幹線と一次分岐線を互いの圧縮銅管端子の端子部を重ねてネジ止め接続し、前記分岐線端部に上記複合分岐線の圧縮スリーブの他端部を圧縮接続する方式などが採用可能である。
【００１５】
また、低圧幹線と引込線を枠部材に固定する方式としては、枠部材に予め取付金具及び支持バーを設けておき、低圧幹線を取付金具を介して枠部材に固定するとともに、引込線を支持バーに対して結束バンド、バインド線等の結束帯で結束固定する方式などが採用できる。
【００１６】
なおまた、収納ボックスの前面に開閉扉を設けておけば、保守点検が容易であるのは勿論、予備の分岐線を接続している場合には、前面の開閉扉を開ければ、収納ボックスを取り外すことなく分岐線を手前に引き出すことができるため、需要家が増えた場合における引込線の接続作業が手前の空間において容易に行い得る利点も有している。
【００１７】
【発明の実施の形態】
以下、本発明の実施の形態を図面に従って説明する。
【００１８】
図１は、低圧地中配電線路の概要図を示すもので、高圧配電線Ａに変圧器Ｂを介して接続された低圧配電線Ｃから立ち上げられた低圧幹線Ｄは、ハンドホールＥにおいて地上部に導かれ、分岐引込装置Ｆ内に設けられた複数の分岐線Ｇ及び保護装置Ｈを経て、引込線Ｉにより各需要家に接続される。図２は、分岐引込装置Ｆの概略図を示している。
【００１９】
分岐引込装置Ｆは、図３ないし図６で示す通り、前面に開閉扉を有し、底面を開口した収納ボックス１と、この収納ボックス１の底面に仮止め状態で現場に持ち込まれる枠部材２と、この枠部材２の上面に予め立設された複数本のアーム３ｂを有する支持部材３と、低圧幹線Ｄを固定するために枠部材２に設けられた取付金具４と、低圧幹線Ｄを分岐する一次分岐線５、この一次分岐線５に接続され、密閉形電線ヒューズ６及び引込線７が接続される引込用分岐線８並びに接続部品、絶縁部品等の付属部品で構成されている。この実施態様における支持部材３は、枠部材２にフレーム部材３ａを立設し、上下及び左右方向に間隔を開けて水平方向において２本一組のアーム３ｂを４組突設している。
【００２０】
次に三相４線式配電線路を例にとって、本発明の分岐・引込方式について説明する。
【００２１】
まず、図７に示す通り、収納ボックス１の底面に仮止め状態で持ち込んだ枠部材２を予め立設された支持部材３ごと収納ボックス１から分離し、ハンドホールＥのコンクリートベースにおける開口周縁部に取付ボルト９で固定する。この際、レベル調整用スペーサー１０をハンドホールＥのネジ部と枠部材２の間に挿入して可及的に水平状態に設置する。
【００２２】
次いで、図８、図９に示す通り、低圧配電線Ｃから立ち上げた三相４線式の低圧幹線Ｄ、すなわち、専用相Ｄ１、共用相Ｄ２、Ｄ３、中性相Ｄ４に、圧縮銅管端子１１を銅管部において圧縮接続して絶縁テープ１２により絶縁処理を施すとともに、枠部材２に設けられた取付金具４において枠部材２に固定する。この取付金具４は、枠部材２に取り付けられたブラケット４ａとこのブラケット４ａとの間で低圧幹線Ｄを挟み込む押え金具４ｂによって構成されている。一方、予め圧縮銅管端子１３の銅管部において２本の分岐線を圧縮接続して熱収縮絶縁チューブ１４により絶縁処理を施した一次分岐線５を用意し、低圧幹線Ｄに接続した圧縮銅管端子１１の端子部に、一次分岐線５に接続した圧縮銅管端子１３の端子部を重ねてネジ止め接続し、一次分岐線５を適当な長さで切断した上、圧縮銅管端子１１、１３を覆うように絶縁筒１５を挿入する。
【００２３】
引込用分岐線８は、図５に示す通り、複数本の分岐線を圧縮スリーブ１６の一端部で束ねて圧縮接続し、熱収縮絶縁チューブ１７で絶縁被覆を施した複合分岐線としており、この複合分岐線を上記一次分岐線５に圧縮スリーブ１６の他端部で圧縮接続して、絶縁カバー１８で絶縁処理を施し、図１０に示す通り、一次分岐線５に癖付けして各相ごとに支持部材３のアーム３ｂ上に載置する。
【００２４】
次いで図６に示す通り、密閉形電線ヒューズ６を圧縮スリーブ６ａを介して引込用分岐線８に接続し、また圧縮スリーブ６ｂを介して引込線７を接続し、各々スリーブカバー１９、２０によって絶縁処理を施した上、絶縁テープ１２によりテーピングを行う。中性相Ｄ４のように密閉形電線ヒューズ６を接続せず、引込線７を直接接続する場合には線径にあった圧縮スリーブを利用して互いに圧縮接続してテーピングを行う。その後、図１１に示す通り、引込用分岐線８は結束バンド、バインド線等の結束帯２１で支持部材３のアーム３ｂに結束固定し、引込線７は同様の結束帯２２で枠部材２に予め設けられた支持バー２３に固定すれば分岐・引込が完了する。
【００２５】
しかる後、収納ボックス１を吊り上げて上から被せ、枠部材２上に載置して取付ボルト２４によって枠部材２に固定した上、収納ボックス１の壁面に設けたアースターミナルと前記ブラケット４ａの間にチャンネルアース線を接続し、ハンドホールＥの接地極とアースターミナルを接続することによって接地すれば、分岐・引込み工事は完了する。
【００２６】
なお、上記説明はあくまでも一実施態様について説明したものであり、各部の構成についてはこの発明の範囲内において種々の態様を採用し得る。
【００２７】
【発明の効果】
以上詳述の通り、この発明においては、低圧地中配電線路の分岐及び引込線の接続をハンドホールを介して地上部において行う分岐・引込方式において、ハンドホールの上部が開放された状態において、低圧幹線からの分岐と引込線の接続を行い、最終的に収納ボックスを被せるようにしたので、配線時の作業性に優れており、また、配線資材としてはすべて絶縁電線を用い、保護装置としては密閉形電線ヒューズを使用し、低圧幹線と引込線を前記枠部材に固定して分岐線及び密閉形電線ヒューズを支持する構成としているので、銅ブスバー、ブレーカーなどの配線資材、保護装置を用いる場合に比し、装置の小型化・軽量化並びにコストダウンを図り得たのはもちろん、同一スペース内において分岐数・引込み数を増やすことができ、また、需要の変動にも容易に対応し得る利点を有している。また、収納ボックスの前面に開閉扉を設けておけば、予備の分岐線を接続している場合、前面の開閉扉を開ければ分岐線を手前に引き出すことができるため、需要家が増えた場合における引込線の接続作業が手前の空間において容易に行い得る利点も有している。
【００２８】
さらにまた、収納ボックスが経年劣化した場合、あるいは外部からの衝撃により破損した場合には、収納ボックスのみの取り換えが可能であり、保守面において大幅なコストダウンも図り得るものである。
【図面の簡単な説明】
【図１】この発明に係る分岐・引込方式を実施した低圧地中配電線路の概要図。
【図２】同分岐・引込方式で使用する分岐引込装置の概略図。
【図３】同分岐引込装置の一部を構成する収納ボックスと支持部材を立設した枠部材の斜視図。
【図４】同分岐・引込方式で使用する一次分岐線の斜視図。
【図５】同分岐・引込方式で使用する複合型の引込用分岐線と一次分岐線の接続関係を示す斜視図。
【図６】同分岐・引込方式で使用する密閉形電線ヒューズと引込用分岐線及び引込線の接続関係を示す斜視図で、（Ａ）は接続前、（Ｂ）は接続後を示す。
【図７】支持部材を立設した枠部材をハンドホールの開口周縁部に取り付ける状態を示す斜視図。
【図８】低圧配電線から立ち上げた低圧幹線と一次分岐線の接続状態を示す斜視図。
【図９】枠部材に対する低圧幹線の固定状態を示す斜視図。
【図１０】引込用分岐線を接続して支持部材に載置した状態を示す斜視図。
【図１１】密閉形電線ヒューズ及び引込線を接続して分岐・引込が完了した状態を示す斜視図。
【符号の説明】
Ａ…高圧配電線    Ｂ…変圧器    Ｃ…低圧配電線    Ｄ…低圧幹線
Ｄ１…専用相    Ｄ２、Ｄ３…共用相    Ｄ４…中性相
Ｅ…ハンドホール    Ｆ…分岐引込装置    Ｇ…分岐線    Ｈ…保護装置
Ｉ…引込線
１…収納ボックス    ２…枠部材    ３…支持部材
３ａ…フレーム部材    ３ｂ…アーム    ４…取付金具
４ａ…ブラケット    ４ｂ…押え金具    ５…一次分岐線
６…密閉形電線ヒューズ    ６ａ、６ｂ…圧縮スリーブ    ７…引込線
８…引込用分岐線    ９…取付ボルト    １０…レベル調整用スペーサー
１１…圧縮銅管端子    １２…絶縁テープ    １３…圧縮銅管端子
１４…熱収縮絶縁チューブ    １５…絶縁筒    １６…圧縮スリーブ
１７…熱収縮絶縁チューブ    １８…絶縁カバー
１９、２０…スリーブカバー    ２１、２２…結束帯    ２３…支持バー
２４…取付ボルト
【図１】
0003983395.tif 000002
【図２】
0003983395.tif 000003
【図３】
0003983395.tif 000004
【図４】
0003983395.tif 000005
【図５】
0003983395.tif 000006
【図６】
0003983395.tif 000007
【図７】
0003983395.tif 000008
【図８】
0003983395.tif 000009
【図９】
0003983395.tif 000010
【図１０】
0003983395.tif 000011
【図１１】
0003983395.tif 000012